(57)【特許請求の範囲】
【請求項１】
天井又は壁の下地面に格子状の枠材が取り付けられ、この枠材の各枠内に、矩形状表面パネルがそれぞれ取り付けられ、この表面パネルの内の少なくとも１枚を、取り外し可能に取り付けるための表面パネル取付構造であって、
前記下地面に取付け用開口が形成され、この取付け用開口の内部に差し込まれる筒状部を有する取付ベースが設けられ、この取付ベースの開口の外向きフランジ部が下地面に当てがわれて固定部材により固定され、この外向きフランジ部は、筒状部の軸中心を中心として、前記枠内の相隣接する２辺に接する円弧形状に形成される一方、前記取付ベースの内部に係合部が設けられるとともに、前記表面パネルの裏面に被係合部が設けられて、表面パネルの被係合部を取付ベースに差し込むことで、係合部に係合されて、下地面に表面パネルが取り付けられるようにしたことを特徴とする表面パネル取付構造。
【請求項２】
前記取付ベースの外向きフランジ部は、円形の１／４以上で１／２未満の円弧形状であることを特徴とする請求項１に記載の表面パネル取付構造。
【請求項３】
前記外向きフランジ部は、前記枠内の相隣接する２辺に接した状態で円周方向に回動できるように、所定角度だけ円周方向に延長されていることを特徴とする請求項２に記載の表面パネル取付構造。
【発明の詳細な説明】
【技術分野】
【０００１】
本発明は、表面パネル取付構造に関する。
【背景技術】
【０００２】
従来、天井又は壁の下地面に格子状の枠材が取り付けられ、この枠材の各枠内に、矩形状表面パネルがそれぞれ取り付けられ、この表面パネルの内の少なくとも１枚を、取り外し可能に取り付けることがある。特に、スピーカーや照明といった機能が表面パネルに付加されている場合、メンテナンス等のために、下地面に対して、表面パネルを簡単に取り付け・取り外しできることが望まれている。
【０００３】
その場合、図３（ａ）のように、下地面１０に取り付ける格子状の枠材１１の内、まず、相隣接する２辺の枠片１１ｂ，１１ｂを下地面１０に取り付ける。これを施工基準線ａとして、図３（ｂ）のように、枠１１ｄの内形状と略同形状の取付ベース１２の外向きフランジ部１２ａを枠片１１ｂ，１１ｂに当てがう。その後、図３（ｃ）のように、残りの２辺の枠片１１ｃ，１１ｃを下地面１０に取り付ける。そして、枠１１ｄの内形状と略同形状の表面パネル１３を、取付ベース１２に取り外し可能に取り付けるようにしている。
【０００４】
なお、表面パネルとは異なる埋込型照明器具であるが、天井に固定した器具本体に枠体を差し込みながら、枠体の立ち上がり片を器具本体の係止部材に係止することで取り付ける方法がある（特許文献１参照）。
【特許文献１】特開平１０−２０８５２０号公報
【発明の開示】
【発明が解決しようとする課題】
【０００５】
しかしながら、枠材１１の枠１１ｄ内に、取付ベース１２の外向きフランジ部１２ａの４辺を当てがって位置決めしていることから、外向きフランジ部１２ａの形状が大きくなって、重量が増加するという問題がある。
【０００６】
また、表面パネル１３がスピーカーである場合、取付ベース１２に設置した加振器の振動が外向きフランジ部１２ａの４辺に接触する各枠片１１ｂ，１１ｃに伝達されるから、いわゆるビビリ音が発生して、音質が低下するという問題がある。
【０００７】
本発明は、前記問題を解消するためになされたもので、取付ベースの外向きフランジ部を小型・軽量化するとともに、スピーカー機能を有している場合には、ビビリ音を抑制して音質を向上させることができる表面パネル取付構造を提供することを目的とするものである。
【課題を解決するための手段】
【０００８】
前記課題を解決するために、本発明は、天井又は壁の下地面に格子状の枠材が取り付けられ、この枠材の各枠内に、矩形状表面パネルがそれぞれ取り付けられ、この表面パネルの内の少なくとも１枚を、取り外し可能に取り付けるための表面パネル取付構造であって、前記下地面に取付け用開口が形成され、この取付け用開口の内部に差し込まれる筒状部を有する取付ベースが設けられ、この取付ベースの開口の外向きフランジ部が下地面に当てがわれて固定部材により固定され、この外向きフランジ部は、筒状部の軸中心を中心として、前記枠内の相隣接する２辺に接する円弧形状に形成される一方、前記取付ベースの内部に係合部が設けられるとともに、前記表面パネルの裏面に被係合部が設けられて、表面パネルの被係合部を取付ベースに差し込むことで、係合部に係合されて、下地面に表面パネルが取り付けられるようにしたことを特徴とする表面パネル取付構造を提供するものである。
【０００９】
請求項２のように、前記取付ベースの外向きフランジ部は、円形の１／４以上で１／２未満の円弧形状であるであることが好ましい。
【００１０】
請求項３のように、前記外向きフランジ部は、前記枠内の相隣接する２辺に接した状態で円周方向に回動できるように、所定角度だけ円周方向に延長されていることが好ましい。
【発明の効果】
【００１１】
本発明によれば、筒状部を有する取付ベースの外向きフランジ部を、筒状部の軸中心を中心として、枠材の枠内の相隣接する２辺に接する円弧形状に形成して、この円弧形状の外向きフランジ部を枠内の相隣接する２辺に当てがうことで（２点接触）、正確に位置決めすることができる。したがって、外向きフランジ部は、ねじ等で固定するための最小限の円弧形状で良いから、取付ベースを小型・軽量化できるようになる。これにより、取付ベースの材料費等のコストを削減できるようになる。
【００１２】
また、表面パネルがスピーカーである場合、取付ベースに設置した加振器の振動が円弧形状の外向きフランジ部の２辺に点接触する枠片に伝達されるだけであるから、ビビリ音が抑制されて、音質が向上するようになる。
【００１３】
請求項２によれば、取付ベースの外向きフランジ部を、ねじ等で固定するための最小限の円弧形状として、円形の１／４以上で１／２未満とすることで、取付ベースをより小型・軽量化できるようになる。
【００１４】
請求項３によれば、取付ベースの外向きフランジ部を、枠内の相隣接する２辺に接した状態で円周方向に回動できるように、所定角度だけ円周方向に延長することで、回動方向の施工のバラツキを許容できるようになる。
【発明を実施するための最良の形態】
【００１５】
以下、本発明を実施するための最良の形態について、図面を参照しながら詳細に説明する。
【００１６】
図２（ａ）に示すように、建物内の天井下地材（下地面）１０の下面には、格子状の枠材１１が取り付けられ、この枠材１１の各枠１１ｄ内に、複数枚の矩形状表面パネル１３が面一で縦横に並べて取り付けられている。本例の表面パネル３は、例えば３０〜４５ｃｍ角程度の正四角形状に形成されていて、表面（下面）が彩色や模様等で化粧されたものであり、木質材、樹脂材、セラミック材、これらの複合材等で製造されている。
【００１７】
そして、これら複数枚の矩形状表面パネル３の全てを取り外し可能に取り付ける必要は無く、少なくとも１枚が取り外し可能に取り付けられれば良い。以下では、図２（ａ）の中央部分の枠１１ｄ内に取り外し可能に取り付けられる表面パネル１３のみについて説明する。なお、図２（ａ）の中央部分の枠１１ｄ内には、表面パネル１３を取り付けていない状態であり、次述する取付け用開口１４が見えている。
【００１８】
図２（ｂ）のように、表面パネル１３を取り付ける天井下地材１０の取り付け位置には、枠１１ａ内の中央部分に取付け用開口１４が形成されている。この取付け用開口１４に下方から差し込んだ時に、天井下地材１０の内部に突出する筒状部１８ｇを有する取付ベース１８が設けられ、この取付ベース１８の下開口１８ｂの外向きのフランジ部１８ａを天井下地材１０の下面に当て止めることで位置決めされるようになる。この外向きフランジ部１８ａをねじ等で天井下地材１０に固定することで、天井下地材１０に固定されるようになる。
【００１９】
この取付ベース１８の内周面には、円周上等角度間隔で複数個（本例では１９０度間隔で２個）のばね掛かり穴部（係合部）１８ｃが設けられている。
【００２０】
表面パネル３の裏面の中央部分には、天井下地材１０の取付ベース１８の下開口１８ｂから差し込み可能な複数個（本例では１８０度間隔で２個）の板ばね（被係合部）１５が設けられている。各板ばね１５は、側面視で外向きに略く字状に屈曲されて、下端ベース部が表面パネル１３の裏面にねじ等で固定されている。なお、板ばね１５に代えて、ボルとコイルばね等を組み合わせたクリック状のばね部であっても良い。
【００２１】
そして、表面パネル１３の板ばね１５を天井下地材１０の取付ベース１８内に下方から差し込むと、表面パネル１３の板ばね１５が取付ベース１８のばね掛かり穴部１８ｃに入りこんで、ばね力（弾性力）で係合するようになる。これにより、表面パネル１３が枠１１ｄ内に嵌り込んだ状態で天井下地材１０の取付ベース１８に取り付けられるようになる。
【００２２】
取付ベース１８の外向きフランジ部１８ａは、図１（ａ）に詳細に示すように、円形の１／４以上で１／２未満で、枠材１１の枠１１ｄ内の相隣接する２辺の枠片１１ｂ，１１ｂに接する円弧形状に形成されている。
【００２３】
具体的には、取付ベース１８の外向きフランジ部１８ａは、枠１１ｄに内接する円形（符号ｂ参照）を切り欠いて、円形の１／４以上で１／２未満の円弧形状に形成されている。
【００２４】
また、外向きフランジ部１８ａは、枠１１ｄ内の相隣接する２辺の枠片１１ｂ，１１ｂに接した状態で円周方向に回動できるように〔図１（ｂ）の矢印ｃ参照〕、所定角度θだけ円周方向に延長されている。
【００２５】
前記のような構成において、取付ベース１８の下開口１８ｂの円弧状の外向きのフランジ部１８ａを天井下地材１０の下面に当て止めて、この円弧形状の外向きフランジ部１８ａを枠１１ｄ内の相隣接する２辺の枠片１１ｂ，１１ｂに当てがう〔図１（ａ）参照〕。これにより、外向きフランジ部１８ａは、枠片１１ｂ，１１ｂに２点接触することになって、正確に位置決めすることができる。この状態で、複数本（本例では８本）の取付ねじ（固定部材）１９で天井下地材１０に固定する。なお、取付ねじに代えて、接着剤で接着することも可能である。
【００２６】
したがって、外向きフランジ部１８ａは、取付ねじ１９で固定するための最小限の円弧形状で良いから、取付ベース１８を小型・軽量化できるようになる。これにより、取付ベース１８の材料費等のコストを削減できるようになる。
【００２７】
また、表面パネル１３がスピーカーである場合、取付ベース１８に設置した加振器の振動が円弧形状の外向きフランジ部１８ａの２辺に点接触する枠片１１ｂ，１１ｂに伝達されるだけであるから、ビビリ音が抑制されて、音質が向上するようになる。
【００２８】
さらに、取付ベース１８の外向きフランジ部１８ａを、取付ねじ１９で固定するための最小限の円弧形状として、円形の略１／４の円弧形状とすることで、取付ベース１８をより小型・軽量化できるようになる。
【００２９】
また、取付ベース１８の外向きフランジ部１８ａを、枠１１ｄ内の相隣接する２辺の枠片１１ｂ，１１ｂに接した状態で円周方向に回動できるように、所定角度θだけ円周方向に延長することで、図１（ｂ）のように、回動方向の施工のバラツキを許容できるようになる。
【００３０】
前記実施形態では、天井下地材１０に表面パネル１３を取り付けたが、壁面に表面パネル１３を取り付けることもできる。
【００３１】
前記実施形態では、表面パネル１３は、表面（下面）が彩色や模様等で化粧されたものであったが、例えば、スピーカーや照明器具を組み込んだ表面パネル１３とすることができる。スピーカーを組み込んだ場合には、取付ベース１８の内部空間に加振器を嵌め込むことができる。照明器具を組み込んだ場合には取付ベース１８の内部空間に安定器を嵌め込むことができる。いずれの場合にも、表面パネル１３を簡単かつ迅速に取り外せるので、メンテナンスが容易に行えるようになる。
【図面の簡単な説明】
【００３２】
【図１】本発明の実施形態の取付ベースの外向きフランジ部であり、（ａ）は正面図、（ｂ）は円周方向に回動させた正面図である。調整部材を左右方向に移動させた状態の断面図である。
【図２】（ａ）は表面パネルの取り付け状態の平面図、（ｂ）は取り付け前の表面パネルと取付ベースとの関係を示す断面図である。
【図３】従来例であり、（ａ）は枠片の正面図、（ｂ）は取付ベースの外向きフランジ部を枠片に当てがった正面図、（ｃ）は枠内に表面パネルを取り付けた正面図である。
【符号の説明】
【００３３】
１０    天井下地材（下地面）
１１    枠材
１１ｂ  枠片
１１ｃ  枠片
１１ｄ  枠
１３    表面パネル
１４    取付け用開口
１５    板ばね（被係合部）
１８    取付ベース
１８ａ  外向きフランジ部
１８ｂ  下開口
１８ｃ  ばね掛かり穴部（係合部）
１９    取付ねじ（固定部材）
【図１】
0004788726.tif 000002
【図２】
0004788726.tif 000003
【図３】
0004788726.tif 000004